(57)【要約】【課題】  例えば折板屋根材などの長尺屋根材を安定して運搬することができる運搬装置を提供すること。【解決手段】  運搬装置本体部４と、運搬装置本体部４を支持するための基台部６と、運搬装置本体部４に回転自在に支持された回転軸８と、回転軸８に取り付けられ、支持アーム部１０及び操作アーム部１２を有する揺動部１４と、支持アーム部１０に設けられ、長尺屋根材を保持するための保持部１８と、運搬装置本体部４を基台部６に対して相対的に前後方向にスライド移動させるためのスライド移動機構２０と、を備える。支持アーム部１０は回転軸８より前方に延び、また操作アーム部１２は回転軸８より後方に延びており、運搬装置本体部４は、スライド移動機構２０によって前側に位置する第１の位置と後側に位置する第２の位置との間をスライド移動自在に構成されている。【選択図】  図１
2008285956.tif 000002
【特許請求の範囲】
【請求項１】
長尺屋根材を運搬するために用いる運搬装置であって、
運搬装置本体部と、前記運搬装置本体部を支持するための基台部と、前記運搬装置本体部に回転自在に支持された回転軸と、前記回転軸に取り付けられ、支持アーム部及び操作アーム部を有する揺動部と、前記支持アーム部に設けられ、前記長尺屋根材を保持するための保持部と、前記運搬装置本体部を前記基台部に対して相対的に前後方向にスライド移動させるためのスライド移動機構と、を備え、前記揺動部の前記支持アーム部は前記回転軸より前方に延び、またその前記操作アーム部は前記回転軸より後方に延びており、前記運搬装置本体部は、前記スライド移動機構によって前側に位置する第１の位置と後側に位置する第２の位置との間をスライド移動自在に構成されており、
前記長尺屋根材を運搬するときには、前記保持部により前記長尺屋根材が保持され、前記操作アーム部を押し下げて前記揺動部を後方に揺動させることにより前記長尺屋根材が持ち上げられ、かかる状態にて前記運搬装置本体部は前記基台部に対して相対的に後方にスライド移動されて前記第１の位置から前記第２の位置に位置付けられ、また運搬した前記長尺屋根材を降ろすときには、前記運搬装置本体部は前記基台部に対して相対的に前方にスライド移動されて前記第２の位置から前記第１の位置に位置付けられ、前記操作アーム部を持ち上げて前記揺動部を前方に揺動させることにより前記長尺屋根材を下降させ、かかる状態にて前記保持部による前記長尺屋根材の保持が解除されることを特徴とする運搬装置。
【請求項２】
前記揺動部に関連して、前記揺動部を所定の揺動位置にロック保持するための揺動ロック機構が設けられていることを特徴とする請求項１に記載の運搬装置。
【請求項３】
前記運搬装置本体部は前記基台部に対して着脱自在に構成され、また前記運搬装置本体部の下側には前記長尺屋根材を載置するための載置部が配設され、前記載置部は前記基台部の上端部に回転自在に支持されており、前記運搬装置本体部を前記基台部より取り外すと、前記載置部が外部に露出されることを特徴とする請求項１又は２に記載の運搬装置。
【請求項４】
前記運搬装置本体部に関連して、前記運搬装置本体部を前記基台部に対して相対的に実質上水平方向に回転させるための回転機構が設けられていることを特徴とする請求項１〜３のいずれかに記載の運搬装置。
【請求項５】
前記基台部は、前記運搬装置本体部が支持される支持部と、前記支持部の下方に配設された接地部と、前記支持部と前記接地部とを相互に接続する接続部と、を備えていることを特徴とする請求項１〜４のいずれかに記載の運搬装置。
【請求項６】
前記スライド移動機構に関連して、前記運搬装置本体部を前記第２の位置にロック保持するためのスライドロック機構が設けられていることを特徴とする請求項１〜５のいずれかに記載の運搬装置。
【請求項７】
前記保持部は、前記長尺屋根材を保持する保持状態と、前記長尺屋根材の保持を解除する解除状態とに保持され、前記保持部に関連して、前記保持部を前記保持状態にロック保持するための保持ロック機構及び／又は前記保持部を前記解除状態にロック保持するための解除ロック機構が設けられていることを特徴とする請求項１〜６のいずれかに記載の運搬装置。
【請求項８】
長尺状の折板屋根材を成型するための成型機と、前記成型機により成型した前記折板屋根材をその長手方向に送るための送り装置と、前記送り装置により送られた前記折板屋根材を運搬するための運搬装置と、を用いて前記折板屋根材を施工する折板屋根材の施工方法であって、
前記運搬装置は、運搬装置本体部と、前記運搬装置本体部を支持するための基台部と、前記運搬装置本体部に回転自在に支持された回転軸と、前記回転軸に取り付けられ、支持アーム部及び操作アーム部を有する揺動部と、前記支持アーム部に設けられ、前記折板屋根材を保持するための保持部と、前記運搬装置本体部を前記基台部に対して相対的に前後方向にスライド移動させるためのスライド移動機構と、を備え、前記揺動部の前記支持アーム部は前記回転軸より前方に延び、またその前記操作アーム部は前記回転軸より後方に延びており、前記運搬装置本体部は、前記スライド移動機構によって前側に位置する第１の位置と後側に位置する第２の位置との間をスライド移動自在に構成され、また前記送り装置は、前記折板屋根材の上面に装着される送り装置本体部と、前記送り装置本体部に回転自在に支持された案内ローラと、を備え、
前記成型機により前記折板屋根材を成型するときには、タイトフレームに設置された前記折板屋根材の上面に前記送り装置本体部を装着し、前記成型機により成型された前記折板屋根材を前記案内ローラにより案内しながらその長手方向に送り、
また成型した前記折板屋根材を運搬するときには、前記送り装置により送られた前記折板屋根材を前記保持部に保持し、前記操作アーム部を押し下げて前記折板屋根材を持ち上げ、かかる状態にて前記運搬装置本体部を前記基台部に対して相対的に後方にスライド移動させて前記第１の位置から前記第２の位置に位置付け、前記基台部を前記タイトフレームに設置された前記折板屋根材上を移動させることを特徴とする折板屋根材の施工方法。
【発明の詳細な説明】
【技術分野】
【０００１】
本発明は、例えば折板屋根材などの長尺屋根材を運搬するための運搬装置及びこれを用いた折板屋根材の施工方法に関する。
【背景技術】
【０００２】
従来より、例えば工場や倉庫、体育館などの屋根に葺かれる屋根材として長尺状の折板屋根材が広く使用されており、この折板屋根材を施工する際には、折板屋根材を運搬するための運搬装置が用いられている（例えば、特許文献１参照）。この運搬装置は、基台部と、基台部に回転自在に支持された回転軸と、回転軸に取り付けられ、支持アーム部及び操作アーム部を有する揺動部と、揺動部の支持アーム部に設けられ、折板屋根材を保持するための保持部と、を備えている。揺動部の支持アーム部は回転軸より前方に延び、またその操作アーム部は回転軸より後方に延びている。また、基台部の下端部には移動用ローラが回転自在に取り付けられており、この移動用ローラは、タイトフレームに設置された折板屋根材上に載置した誘導プレートに移動自在に支持される。
【０００３】
折板屋根材を運搬するときには、成型機により成型された折板屋根材をタイトフレームに設置された折板屋根材上に複数段積み重ねておき、この積み重ねられた複数の折板屋根材の長手方向に所定の間隔を置いて運搬装置を複数配設する。この運搬装置の保持部に最上段の折板屋根材を保持させ、操作アーム部を押し下げると、揺動部が後方に揺動されて折板屋根材が持ち上げられる。かかる状態にて操作アーム部を把持して前方に押すことにより、基台部が誘導プレート上を移動され、このようにして折板屋根材が運搬される。
【０００４】
【特許文献１】実開平４−８２１３０号公報
【発明の開示】
【発明が解決しようとする課題】
【０００５】
しかしながら、上述のような従来の運搬装置では、次のような問題がある。折板屋根材の重量は例えば数百ｋｇ程度であるので、折板屋根材を保持部に保持してこれを持ち上げると、運搬装置全体の重心が前方へ移動され、それ故に、運搬装置が前方に転倒するおそれがある。また、このように転倒するのを防止するためには、作業員等が操作アーム部を把持してこれを押し下げた状態に保持することにより、運搬装置全体のバランスを取りながら折板屋根材を運搬しなければならず、折板屋根材の施工を容易に行うことができないという問題がある。
【０００６】
本発明の目的は、例えば折板屋根材などの長尺屋根材を安定して運搬することができる運搬装置を提供することである。
また、本発明の他の目的は、折板屋根材の施工を容易に行うことができる折板屋根材の施工方法を提供することである。
【課題を解決するための手段】
【０００７】
本発明の請求項１に記載の運搬装置では、長尺屋根材を運搬するために用いる運搬装置であって、
運搬装置本体部と、前記運搬装置本体部を支持するための基台部と、前記運搬装置本体部に回転自在に支持された回転軸と、前記回転軸に取り付けられ、支持アーム部及び操作アーム部を有する揺動部と、前記支持アーム部に設けられ、前記長尺屋根材を保持するための保持部と、前記運搬装置本体部を前記基台部に対して相対的に前後方向にスライド移動させるためのスライド移動機構と、を備え、前記揺動部の前記支持アーム部は前記回転軸より前方に延び、またその前記操作アーム部は前記回転軸より後方に延びており、前記運搬装置本体部は、前記スライド移動機構によって前側に位置する第１の位置と後側に位置する第２の位置との間をスライド移動自在に構成されており、
前記長尺屋根材を運搬するときには、前記保持部により前記長尺屋根材が保持され、前記操作アーム部を押し下げて前記揺動部を後方に揺動させることにより前記長尺屋根材が持ち上げられ、かかる状態にて前記運搬装置本体部は前記基台部に対して相対的に後方にスライド移動されて前記第１の位置から前記第２の位置に位置付けられ、また運搬した前記長尺屋根材を降ろすときには、前記運搬装置本体部は前記基台部に対して相対的に前方にスライド移動されて前記第２の位置から前記第１の位置に位置付けられ、前記操作アーム部を持ち上げて前記揺動部を前方に揺動させることにより前記長尺屋根材を下降させ、かかる状態にて前記保持部による前記長尺屋根材の保持が解除されることを特徴とする。
【０００８】
また、本発明の請求項２に記載の運搬装置では、前記揺動部に関連して、前記揺動部を所定の揺動位置にロック保持するための揺動ロック機構が設けられていることを特徴とする。
【０００９】
さらに、本発明の請求項３に記載の運搬装置では、前記運搬装置本体部は前記基台部に対して着脱自在に構成され、また前記運搬装置本体部の下側には前記長尺屋根材を載置するための載置部が配設され、前記載置部は前記基台部の上端部に回転自在に支持されており、前記運搬装置本体部を前記基台部より取り外すと、前記載置部が外部に露出されることを特徴とする。
【００１０】
また、本発明の請求項４に記載の運搬装置では、前記運搬装置本体部に関連して、前記運搬装置本体部を前記基台部に対して相対的に実質上水平方向に回転させるための回転機構が設けられていることを特徴とする。
【００１１】
さらに、本発明の請求項５に記載の運搬装置では、前記基台部は、前記運搬装置本体部が支持される支持部と、前記支持部の下方に配設された接地部と、前記支持部と前記接地部とを相互に接続する接続部と、を備えていることを特徴とする。
【００１２】
また、本発明の請求項６に記載の運搬装置では、前記スライド移動機構に関連して、前記運搬装置本体部を前記第２の位置にロック保持するためのスライドロック機構が設けられていることを特徴とする。
【００１３】
さらに、本発明の請求項７に記載の運搬装置では、前記保持部は、前記長尺屋根材を保持する保持状態と、前記長尺屋根材の保持を解除する解除状態とに保持され、前記保持部に関連して、前記保持部を前記保持状態にロック保持するための保持ロック機構及び／又は前記保持部を前記解除状態にロック保持するための解除ロック機構が設けられていることを特徴とする。
【００１４】
また、本発明の請求項８に記載の折板屋根材の施工方法では、長尺状の折板屋根材を成型するための成型機と、前記成型機により成型した前記折板屋根材をその長手方向に送るための送り装置と、前記送り装置により送られた前記折板屋根材を運搬するための運搬装置と、を用いて前記折板屋根材を施工する折板屋根材の施工方法であって、
前記運搬装置は、運搬装置本体部と、前記運搬装置本体部を支持するための基台部と、前記運搬装置本体部に回転自在に支持された回転軸と、前記回転軸に取り付けられ、支持アーム部及び操作アーム部を有する揺動部と、前記支持アーム部に設けられ、前記折板屋根材を保持するための保持部と、前記運搬装置本体部を前記基台部に対して相対的に前後方向にスライド移動させるためのスライド移動機構と、を備え、前記揺動部の前記支持アーム部は前記回転軸より前方に延び、またその前記操作アーム部は前記回転軸より後方に延びており、前記運搬装置本体部は、前記スライド移動機構によって前側に位置する第１の位置と後側に位置する第２の位置との間をスライド移動自在に構成され、また前記送り装置は、前記折板屋根材の上面に装着される送り装置本体部と、前記送り装置本体部に回転自在に支持された案内ローラと、を備え、
前記成型機により前記折板屋根材を成型するときには、タイトフレームに設置された前記折板屋根材の上面に前記送り装置本体部を装着し、前記成型機により成型された前記折板屋根材を前記案内ローラにより案内しながらその長手方向に送り、
また成型した前記折板屋根材を運搬するときには、前記送り装置により送られた前記折板屋根材を前記保持部に保持し、前記操作アーム部を押し下げて前記折板屋根材を持ち上げ、かかる状態にて前記運搬装置本体部を前記基台部に対して相対的に後方にスライド移動させて前記第１の位置から前記第２の位置に位置付け、前記基台部を前記タイトフレームに設置された前記折板屋根材上を移動させることを特徴とする折板屋根材の施工方法。。
【発明の効果】
【００１５】
本発明の請求項１に記載の運搬装置によれば、長尺屋根材を運搬するときには、長尺屋根材を保持部に保持させた状態で、運搬装置本体部が基台部に対して相対的に後方にスライド移動されて第１の位置から第２の位置に位置付けられるので、運搬装置全体の重心が運搬装置のほぼ中央部に位置され、これにより運搬装置が前方に転倒するのを防止することができ、長尺屋根材を安定して運搬することができる。また、運搬した長尺屋根材を降ろすときには、運搬装置本体部が基台部に対して相対的に前方にスライド移動されて第２の位置から第１の位置に位置付けられるので、降ろした長尺屋根材が基台部などにぶつかるのを防止することができ、長尺屋根材を容易に降ろすことができる。
【００１６】
また、本発明の請求項２に記載の運搬装置によれば、揺動部を所定の揺動位置にロック保持するための揺動ロック機構が設けられているので、長尺屋根材を運搬する際に、操作アーム部を押し下げて長尺屋根材を持ち上げた状態にロック保持させることができ、長尺屋根材を容易に運搬することができる。
【００１７】
さらに、本発明の請求項３に記載の運搬装置によれば、載置部は基台部の上端部に回転自在に支持され、運搬装置本体部を基台部より取り外すとこの載置部が外部に露出されるので、長尺屋根材を載置部に載置した状態で基台部を移動させることにより、長尺屋根材を台車で運搬するが如く容易に運搬することができる。また、かかる状態で載置部を回転させることにより、長尺屋根材を運搬する際の長尺屋根材の水平方向の向きを調節することができ、それ故に、長尺屋根材が施工される屋根上に例えば煙突などの障害物が存在する場合であっても、この障害物を回避しながら長尺屋根材を運搬することができる。
【００１８】
また、本発明の請求項４に記載の運搬装置によれば、運搬装置本体部を基台部に対して相対的に実質上水平方向に回転させるための回転機構が設けられているので、運搬した長尺屋根材を降ろす際に、この回転機構によって運搬装置本体部を基台部に対して相対的に適宜回転させることにより、保持部に保持された長尺屋根材の水平角度を調節することができ、長尺屋根材を所定の位置に精度良く降ろすことができる。
【００１９】
さらに、本発明の請求項５に記載の運搬装置によれば、基台部は、運搬装置本体部が支持される支持部と、支持部の下方に配設された接地部と、支持部と接地部とを相互に接続する接続部と、を備えているので、長尺屋根材を保持部に保持して持ち上げた際に、長尺屋根材の屋根からの高さを高く設定することができる。従って、長尺屋根材が施工される屋根上に例えば煙突などの障害物が存在する場合であっても、長尺屋根材を運搬する際に、長尺屋根材がこの障害物にぶつかるのを防止することができる。
【００２０】
また、本発明の請求項６に記載の運搬装置によれば、運搬装置本体部を第２の位置にロック保持するためのスライドロック機構が設けられているので、長尺屋根材を運搬する際に、運搬装置本体部の基台部に対する前方へのスライド移動が阻止され、これにより運搬装置全体の重心が運搬装置のほぼ中央部に位置された状態に保持することができる。
【００２１】
さらに、本発明の請求項７に記載の運搬装置によれば、保持部を保持状態にロック保持するための保持ロック機構が設けられているので、長尺屋根材を運搬する際に長尺屋根材が保持部から落下するのを防止することができる。また、保持部を解除状態にロック保持するための解除ロック機構が設けられているので、運搬した長尺屋根材を降ろした際に、保持部による長尺屋根材の保持を確実に解除することができる。
【００２２】
また、本発明の請求項８に記載の折板屋根材の施工方法によれば、成型機により折板屋根材を成型するときには、タイトフレームに設置された折板屋根材の上面に送り装置本体部を装着し、成型機により成型された折板屋根材を案内ローラにより案内しながらその長手方向に送るので、成型した折板屋根材を所定の位置に容易に位置付けることができる。また、成型した折板屋根材を運搬するときには、送り装置により送られた折板屋根材を保持部に保持し、操作アーム部を押し下げて折板屋根材を持ち上げ、かかる状態にて運搬装置本体部を基台部に対して相対的に後方にスライド移動させて第１の位置から第２の位置に位置付けるので、運搬装置全体の重心が運搬装置のほぼ中央部に位置され、これにより運搬装置が前方に転倒するのを防止することができる。従って、折板屋根材を安定して運搬することができ、折板屋根材の施工を容易に行うことができる。
【発明を実施するための最良の形態】
【００２３】
以下、添付図面を参照して、本発明に従う運搬装置及びこれを用いた折板屋根材の施工方法の一実施形態について説明する。図１は、本発明の一実施形態による運搬装置を示す概略斜視図であり、図２は、図１の運搬装置の回転機構及びその周辺の構成を示す概略斜視図であり、図３は、図１の保持部を保持状態に保持した状態を示す概略斜視図であり、図４は、図１の保持部を解除状態に保持した状態を示す概略斜視図であり、図５は、成型された折板屋根材が送り装置により送られる状態を示す概略図であり、図６は、図５中のＡ−Ａ線による送り装置により折板屋根材が送られる状態を示す概略断面図であり、図７は、図１の運搬装置の保持部に折板屋根材を保持させた状態を示す概略図であり、図８は、図１の運搬装置により折板屋根材を運搬する状態を示す概略図であり、図９は、図１の運搬装置の載置部に折板屋根材を載置して運搬する状態を示す概略斜視図である。
【００２４】
図１〜図４を参照して、図示の運搬装置２は、運搬装置本体部４と、運搬装置本体部４を支持するための基台部６と、運搬装置本体部４に回転自在に支持された回転軸８と、回転軸８に取り付けられ、支持アーム部１０及び操作アーム部１２を有する揺動部１４と、支持アーム部１０に設けられ、長尺状の折板屋根材１６（長尺屋根材を構成する）を保持するための保持部１８と、運搬装置本体部４を基台部６に対して相対的に前後方向にスライド移動させるためのスライド移動機構２０と、を備えている。以下、これら各構成要素について詳細に説明する。
【００２５】
運搬装置本体部４は、ベースプレート２２と、ベースプレート２２の上面に取り付けられた一対の支持ブラケット２４と、を有している。一対の支持ブラケット２４は相互に対向して配設され、これら一対の支持ブラケット２４には回転軸８が回転自在に支持されている。この回転軸８には略Ｖ字状に延びる揺動部１４が取り付けられており、この揺動部１４は、回転軸８から前方（図１において右方）に延びる支持アーム部１０と、回転軸８から後方（図１において左方）に延びる操作アーム部１２と、を有している。支持アーム部１０の先端部には保持部１８（後述する）が設けられ、また操作アーム部１２の先端部には把持部２６が設けられている。この揺動部１４は、回転軸８を中心として前後方向に揺動自在に構成されている。また、ベースプレート２２には、支持軸部２８（後述する）を中心として円弧状に延びるガイド孔３０が設けられている。
【００２６】
この揺動部１４に関連して、揺動部１４を所定の揺動位置にロック保持するための揺動ロック機構３２が設けられており、この揺動ロック機構３２は、支持アーム部１０と操作アーム部１２との接続部に設けられた略扇形状の歯車３４と、一対の支持ブラケット２４に回転自在に取り付けられた係止爪３６と、から構成されている。この係止爪３６は、その先端部が歯車３４に係止される係止位置（図８参照）と、その先端部が歯車３４から離脱される解除位置（図７参照）との間を自在に揺動され、ばね部材（図示せず）により解除位置から係止位置に向けて弾性的に付勢されている。係止爪３６が係止位置に位置付けられると、揺動部１４が所定の揺動位置にロック保持されて揺動部１４の前後方向の揺動が阻止され、また係止爪３６が解除位置に位置付けられると、揺動部１４の前後方向の揺動が許容される。なお、この係止爪３６には、操作アーム部１２の把持部２６から延びる第１操作用ワイヤ（図示せず）の一端部が取り付けられており、この第１操作用ワイヤの他端部を引っ張ることにより、係止爪３６がばね部材の弾性力に抗して揺動されて係止位置から解除位置に位置付けられる。
【００２７】
保持部１８は、略水平方向に延びる支持軸部３８と、この支持軸部３８と支持アーム部１０の先端部３９とを相互に連結するための連結枠部４０と、支持軸部３８の両端部にそれぞれ揺動自在に取り付けられた一対の保持アーム部４２と、一対の保持アーム部４２を相互に揺動自在に連結するための一対のリンク機構４４と、一対の保持アーム部４２の各々の先端部に設けられた保持爪部４６と、を有している。一方のリンク機構４４には上下に延びるガイドレール４８が設けられており、このガイドレール４８には、支持軸部３８の一端部が移動自在に装着されている。この保持部１８は、折板屋根材１６を保持する保持状態（図３参照）と、折板屋根材１６の保持を解除する解除状態（図４参照）とに保持される。保持状態においては、支持軸部３８の一端部がガイドレール４８の上端部に位置付けられ、一対の保持アーム部４２が相互に近接する方向に揺動され、これにより一対の保持爪部４６によって折板屋根材１６が保持される（図７及び図８参照）。また解除状態においては、支持軸部３８の一端部がガイドレール４８の下端部に位置付けられ、一対の保持アーム部４２が相互に離隔する方向に揺動され、これにより一対の保持爪部４６による折板屋根材１６の保持が解除される。
【００２８】
また、この保持部１８には、保持部１８を保持状態にロック保持するための保持ロック機構５０と、保持部１８を解除状態にロック保持するための解除ロック機構５２とが設けられている。保持ロック機構５０は、連結枠部４０の一端部に設けられた貫通孔５４と、この貫通孔５４に着脱自在に挿入されるロック用ピン５６と、から構成されている。保持状態において、ロック用ピン５６が貫通孔５４に挿入されると、ロック用ピン５６の一端部がガイドレール４８の上端部に当接され、これにより支持軸部３８の一端部のガイドレール４８に対する相対的移動が阻止され、保持部１８が保持状態にロック保持される。また、解除ロック機構５２は、一対のリンク機構４４の下端部に取り付けられた取付プレート５８と、この取付プレート５８に揺動自在に取り付けられたロック用爪６０と、から構成されている。解除状態において、このロック用爪６０は、支持軸部３８に係止される係止位置（図４において実線で示す）と、支持軸部３８から離脱される解除位置（図４において一点鎖線で示す）との間を揺動自在に構成されている。ロック用爪６０が係止位置に位置付けられると、支持軸部３８の一端部のガイドレール４８に対する相対的移動が阻止され、これにより保持部１８が解除状態にロック保持される。
【００２９】
スライド移動機構２０は、ボックス状のスライドレール６２と、このスライドレール６２にスライド移動自在に装着された可動部材６４と、を備えている。可動部材６４の下端部には複数の移動用ローラ６６が前後方向に所定の間隔を置いて回転自在に設けられ、これら複数の移動用ローラ６６はそれぞれスライドレール６２の内底部に移動自在に支持されている。また、可動部材６４の上面には、ベースプレート２２を回転自在に支持するための支持軸部２８と、ベースプレート２２のガイド孔３０に移動自在に受け入れられるガイド用突部６８とが設けられている。これら支持軸部２８、ガイド用突部６８及びガイド孔３０によって回転機構７０が構成され、この回転機構７０によって、ベースプレート２２を可動部材６４に対して、即ち、運搬装置本体部４を基台部６に対して相対的に実質上水平方向に回転させることができる。
【００３０】
可動部材６４がスライドレール６２に対して相対的に前方にスライド移動され、最も前側に配設された移動用ローラ６６がスライドレール６２の前側端部７２に当接されると、運搬装置本体部４は前側に位置する第１の位置に位置付けられる（図７参照）。また、可動部材６４がスライドレール６２に対して相対的に後方にスライド移動され、最も後側に配設された移動用ローラ６６がスライドレール６２の後側端部７４に当接されると、運搬装置本体部４は後側に位置する第２の位置に位置付けられる（図８参照）。
【００３１】
このスライド移動機構２０に関連して、運搬装置本体部４を第２の位置にロック保持するためのスライドロック機構７６が設けられている。このスライドロック機構７６は、回転軸８の両端部に揺動自在に取り付けられたスライドロック用アーム７８から構成されている。このスライドロック用アーム７８は、スライドレール６２の後側端部７４に当接されるスライドロック位置と、スライドレール６２の上端部に当接されるスライドロック解除位置との間を揺動自在に構成されている。スライドロック用アーム７８がスライドロック位置に位置付けられると、運搬装置本体部４の基台部６に対する前方へのスライド移動が阻止され、運搬装置本体部４が第２の位置にロック保持される。またスライドロック用アーム７８がスライドロック解除位置に位置付けられると、運搬装置本体部４の基台部６に対する前方へのスライド移動が許容される。なお、このスライドロック用アーム７８には、操作アーム部１２の把持部２６から延びる第２操作用ワイヤ（図示せず）の一端部が取り付けられており、この第２操作用ワイヤの他端部を引っ張ることにより、スライドロック用アーム７８がスライドロック位置からスライドロック解除位置に位置付けられる。
【００３２】
基台部６は、運搬装置本体部４が支持される支持部８０と、支持部８０の下方に配設された接地部８２と、支持部８０と接地部８２とを相互に接続する接続部８４と、を備えている。支持部８０は、矩形状の枠状部材８６と、この枠状部材８６の上端部に着脱自在に取り付けられた複数の支持部材８８と、から構成されており、スライドレール６２は、複数の支持部材８８を介して枠状部材８６に支持されている。また、枠状部材８６の上端部には、プレート状の載置部９０が回転自在に取り付けられており、この載置部９０は、複数の支持用ローラ（図示せず）によって下方より支持されている。複数の支持部材８８が枠状部材８６より取り外される、即ち、運搬装置本体部４が基台部６より取り外されると、この載置部９０が外部に露出される（図９参照）。また、枠状部材８６の後端部、一側端部及び他側端部にはそれぞれ一対の取付筒部９２が取り付けられており、この一対の取付筒部９２にはそれぞれハンドル部材９４の下端部が着脱自在に取り付けられる。接地部８２は、例えば硬質プラスチック樹脂などから形成された一対の棒状部材９６から構成されている。接続部８４は複数設けられ、各接続部８４はそれぞれ枠状部材８６の下端部より下方に延びており、各接続部８４の下端部には棒状部材９６が取り付けられている。
【００３３】
次に、図５〜図９をも参照して、例えば工場や倉庫、体育館などの屋根９８に対して折板屋根材１６を施工する方法について説明すると、次の通りである。この折板屋根材１６の施工方法においては、上述した運搬装置２に加えて、折板屋根材１６を成型するための成型機１００と、成型機１００により成型された折板屋根材１６をその長手方向に送るための送り装置１０２とが用いられる。
【００３４】
成型機１００は、鉄板コイル１０４にロール状に巻回された長尺状の鉄板を所要の通りにして折板屋根材１６に成型する。送り装置１０２は、折板屋根材１６の上面に着脱自在に装着される送り装置本体部１０６と、送り装置本体部１０６の中央部に回転自在に支持された第１案内ローラ１０８と、送り装置本体部１０６の両端部に回転自在に支持された一対の第２案内ローラ１１０と、を備えている（図６参照）。送り装置本体部１０６は、折板屋根材１６及びタイトフレーム１１２の断面形状に対応して凹状に構成され、その両端部は外方且つ下方に折り曲げられている。
【００３５】
まず、折板屋根材１６を成型する際には、母屋１１４の上端部に隣接して鉄板コイル１０４及び成型機１００を設置し、タイトフレーム１１２に設置された折板屋根材１６上に送り装置１０２の送り装置本体部１０６を所定の間隔を置いて複数設置する（図５参照）。鉄板コイル１０４に巻回された長尺状の鉄板が成型機１００により折板屋根材１６に成型されて成型機１００より送り出されると、この折板屋根材１６は送り装置１０２の第１案内ローラ１０８及び一対の第２案内ローラ１１０により案内されながらその長手方向に送られる。このように送られた折板屋根材１６は、タイトフレーム１１２に設置された折板屋根材１６上に送り装置１０２を介して配設される。次に、この送られた折板屋根材１６の長手方向に所定の間隔を置いて運搬装置２を複数配設し、この運搬装置２を用いて折板屋根材１６を次のようにして運搬する。
【００３６】
把持部２６を把持してこれを前方に押すことにより、運搬装置本体部４を基台部６に対して相対的に前方にスライド移動させて第１の位置に位置付ける。また、第１操作用ワイヤを引っ張ることにより係止爪３６を解除位置に位置付け、かかる状態で把持部２６を把持して操作アーム部１２を持ち上げると、揺動部１４が前方に揺動されることにより保持部１８が折板屋根材１６上に下降される。このように保持部１８が下降され、一対のリンク機構４４の各下端部が折板屋根材１６上に当接されると、支持軸部３８の一端部がガイドレール４８に沿って下降されてガイドレール４８の下端部に位置付けられ、一対の保持アーム部４２が相互に離隔する方向に揺動される。かかる状態で把持部２６を把持して操作アーム部１２を押し下げると、支持軸部３８の一端部がガイドレール４８に沿って上昇されてガイドレール４８の上端部に位置付けられ、一対の保持アーム部４２が相互に近接する方向に揺動され、これにより一対の保持爪部４６が折板屋根材１６の両側縁部に係止されて保持部１８が保持状態となる（図７参照）。更に操作アーム部１２を押し下げると、揺動部１４が後方に揺動されることにより保持部１８に保持された折板屋根材１６が持ち上げられる。かかる状態において、揺動ロック機構３２の係止爪３６が解除位置から係止位置に位置付けられることにより、揺動部１４が所定の揺動位置にロック保持されるので、折板屋根材１６が持ち上げられた状態にロック保持される。また、ロック用ピン５６を貫通孔５４に挿入することにより、保持部１８が保持状態にロック保持される。
【００３７】
このように折板屋根材１６を保持部１８に保持した状態で、把持部２６を把持してこれを後方に引くことにより、運搬装置本体部４を基台部６に対して後方にスライド移動させて第１の位置から第２の位置に位置付ける（図８参照）。このように運搬装置本体部４が第２の位置に位置付けられると、スライドロック用アーム７８が揺動されてスライドロック位置に位置付けられ、運搬装置本体部４が第２の位置にロック保持される。かかる状態において、把持部２６を把持してこれを前方に押すと、基台部６の接地部８２がタイトフレーム１１２に設置された折板屋根材１６上を滑りながら移動され、このようにして折板屋根材１６が運搬される。
【００３８】
本実施形態の運搬装置２では、折板屋根材１６を運搬する際に、運搬装置全体４の重心が運搬装置２のほぼ中央部に位置されるので、運搬装置２が前方に転倒されるのが防止され、折板屋根材１６を安定して運搬することができる。従って、折板屋根材１６を容易に施工することができる。また、保持ロック機構５０によって保持部１８を保持状態にロック保持することにより、折板屋根材１６の運搬中に折板屋根材１６が保持部１８より落下するのが防止され、安全性を高めることができる。
【００３９】
また、基台部６は上述のように構成されているので、折板屋根材１６を保持部１８に保持して持ち上げた際に、折板屋根材１６の屋根９８からの高さを高く設定することができる。従って、折板屋根材１６が施工される屋根９８上に例えば煙突などの障害物（図示せず）が存在する場合であっても、折板屋根材１６を運搬する際に、折板屋根材１６がこの障害物にぶつかるのを防止することができる。
【００４０】
運搬した折板屋根材１６を降ろすときには、第２操作用ワイヤを引っ張ることによりスライドロック用アーム７８を揺動させてスライドロック解除位置に位置付け、把持部２６を把持してこれを前方に押すことにより運搬装置本体部４を基台部６に対して前方にスライド移動させて第２の位置から第１の位置に位置付ける。その後に、第１操作用ワイヤを引っ張ることにより係止爪３６を係止位置から解除位置に位置付け、把持部２６を把持しながら操作アーム部１２を持ち上げて折板屋根材１６をタイトフレーム１１２上に下降させて設置する。ロック用ピン５６を貫通孔５４より取り外し、更に操作アーム部１２を持ち上げると、支持軸部３８の一端部がガイドレール４８に沿って下降されてガイドレール４８の下端部に位置付けられ、一対の保持アーム部４２が相互に離隔する方向に揺動され、これにより一対の保持爪部４６による折板屋根材１６の保持が解除されて保持部１８が解除状態となる。この解除状態において、ロック用爪６０を係止位置に位置付けると、支持軸部３８の一端部のガイドレール４８に対する相対的移動が阻止され、それ故に、操作アーム部１２を押し下げて保持部１８を上昇させた際に、一対の保持アーム部４２が相互に近接する方向に揺動されるのが阻止され、保持部１８による折板屋根材１６の保持を確実に解除することができる。
【００４１】
なお、上述のように折板屋根材１６を降ろす際に、折板屋根材１６の水平角度が設置すべきタイトフレーム１１２に対して偏倚している場合には、回転機構７０により運搬装置本体部４を基台部６に対して実質上水平方向に回転させることにより、保持部１８に保持した折板屋根材１６の水平角度を調節することができ、折板屋根材１６をタイトフレーム１１２に精度良く設置することができる。
【００４２】
また、屋根９８上に例えば煙突などの比較的大きな障害物（図示せず）が存在する場合には、運転装置本体部４を基台部６から取り外して載置部９０を外部に露出させ、枠状部材８６の後端部に設けられた一対の取付筒部９２にハンドル部材９４を着脱自在に取り付ける。この載置部９０に運搬すべき折板屋根材１６を載置し、ハンドル部材９４を把持して基台部６を前方に押して移動させることにより、折板屋根材１６を台車で運搬するが如く運搬することができる（図９参照）。折板屋根材１６の進行方向に障害物が存在する場合には、載置部９０を基台部６に対して相対的に回転させることにより、折板屋根材１６の水平方向の向きを調節することができ、これにより屋根９８上の障害物を回避しながら折板屋根材１６を運搬することができる。また、このように折板屋根材１６の水平方向の向きを調節した際に、枠状部材８６の後端部に取り付けられたハンドル部材９４が邪魔になるときには、このハンドル部材９４を取り外して枠状部材８６の一側端部（又は他側端部）に設けられた一対の取付筒部９２に取り付けることができる。
【００４３】
以上、本発明に従う運搬装置及びこれを用いた折板屋根材の施工方法の一実施形態について説明したが、本発明はかかる実施形態に限定されるものではなく、本発明の範囲を逸脱することなく種々の変形乃至修正が可能である。
【００４４】
例えば、上記実施形態では、保持部１８を保持状態にロック保持するための保持ロック機構５０及び保持部１８を解除状態にロック保持するための解除ロック機構５２の双方を設けるように構成したが、これらのうちいずれか一方のみを設けるように構成してもよい。
【００４５】
また例えば、成型機１００により成型された折板屋根材１６を送り装置１０２により送る際には、この折板屋根材１６をガイドするためのガイド装置（図示せず）を折板屋根材１６の先端部に着脱自在に装着するようにしてもよい。このガイド装置は、折板屋根材１６の先端部が着脱自在に装着されるガイド装置本体と、ガイド装置本体を支持するための車輪と、ガイド装置本体に設けられた把持部と、を備えている。送られた折板屋根材１６の先端部が送り装置１０２に近付いたときには、把持部を把持して折板屋根材１６の先端部を持ち上げることにより、折板屋根材１６の先端部が送り装置１０２にぶつかるのを防止することができる。
【図面の簡単な説明】
【００４６】
【図１】本発明の一実施形態による運搬装置を示す概略斜視図である。
【図２】図１の運搬装置の回転機構及びその周辺の構成を示す概略斜視図である。
【図３】図１の保持部を保持状態に保持した状態を示す概略斜視図である。
【図４】図１の保持部を解除状態に保持した状態を示す概略斜視図である。
【図５】成型された折板屋根材が送り装置により送られる状態を示す概略図である。
【図６】図５中のＡ−Ａ線による送り装置により折板屋根材が送られる状態を示す概略断面図である。
【図７】図１の運搬装置の保持部に折板屋根材を保持させた状態を示す概略図である。
【図８】図１の運搬装置により折板屋根材を運搬する状態を示す概略図である。
【図９】図１の運搬装置の載置部に折板屋根材を載置して運搬する状態を示す概略斜視図である。
【符号の説明】
【００４７】
２  運搬装置
４  運搬装置本体部
６  基台部
８  回転軸
１０  支持アーム部
１２  操作アーム部
１４  揺動部
１６  折板屋根材
１８  保持部
２０  スライド移動機構
３２  揺動ロック機構
５０  保持ロック機構
５２  解除ロック機構
７０  回転機構
７６  スライドロック機構
８０  支持部
８２  接地部
８４  接続部
９０  載置部
１００  成型機
１０２  送り装置
１０６  送り装置本体部
１０８  第１案内ローラ
１１０  第２案内ローラ
１１２  タイトフレーム
【図１】
2008285956.tif 000003
【図２】
2008285956.tif 000004
【図３】
2008285956.tif 000005
【図４】
2008285956.tif 000006
【図５】
2008285956.tif 000007
【図６】
2008285956.tif 000008
【図７】
2008285956.tif 000009
【図８】
2008285956.tif 000010
【図９】
2008285956.tif 000011